(57)【特許請求の範囲】
【請求項１】
ガス導出通路が連結されたガス供給部と、
上記ガス導出通路を開閉制御する開閉弁部と、
弾丸が装填される装弾室に連なるバレル部に対して移動可能とされ、上記装弾室の後方となる部分に受圧部が設けられて、上記装弾室に対する弾丸の供給のための後退を行うスライダ部と、
内部空間が設けられて上記スライダ部内に移動可能に配され、上記内部空間が上記ガス導出通路に連結される第１の状態と上記内部空間が上記ガス導出通路から切り離される第２の状態とをとり、上記第１の状態をとるもとで、上記開閉弁部が上記ガス導出通路を開状態とするとき、上記ガス導出通路を通じた上記ガス供給部からのガスを、上記内部空間を通じて上記装弾室へと導いて該装弾室に装填された弾丸を発射させ、さらに、上記内部空間を通じて上記受圧部へと導いて上記スライダ部の後退を生じさせる可動部材と、
該可動部材の内部空間内に配され、上記ガス導出通路を通じて上記内部空間内に導入されるガス圧に応じて、該内部空間を通じて上記受圧部へと導かれるガスの流量を調整するガス流量調整手段と、
を備えて構成されるガス圧を利用する玩具銃。
【請求項２】
上記ガス流量調整手段が、上記ガス導出通路を通じて上記内部空間内に導入されるガス圧の値が所定値以上となるとき、上記内部空間を通じて上記受圧部へと導かれるガスの流量を制限することを特徴とする請求項１記載のガス圧を利用する玩具銃。
【請求項３】
上記ガス流量調整手段が、上記内部空間内における上記受圧部へと導かれるガスが通じる部位に固定された固定部材と、上記内部空間内において上記受圧部に近接する方向及び上記受圧部から離隔する方向に移動可能とされたガス流制限部材とを含んで構成されることを特徴とする請求項２記載のガス圧を利用する玩具銃。
【請求項４】
上記ガス流制限部材が、弾性部材によって上記受圧部から離隔する方向に付勢され、上記内部空間内に導入されるガス圧の値が所定値以上となるとき、該ガス圧によって上記弾性部材による付勢力に抗して上記受圧部に近接する方向に移動せしめられ、上記固定部材とで上記受圧部へと導かれるガスの流量を制限することを特徴とする請求項３記載のガス圧を利用する玩具銃。
【請求項５】
上記ガス流量調整手段における固定部材が、上記内部空間が設けられた上記可動部材と一体的に形成されたものとされることを特徴とする請求項３記載のガス圧を利用する玩具銃。
【請求項６】
上記ガス流量調整手段が、上記内部空間内における上記受圧部へと導かれるガスが通じる部位に配された可動ガス流路制御部を含んで構成されることを特徴とする請求項２記載のガス圧を利用する玩具銃。
【請求項７】
上記可動ガス流路制御部が、弾性部材を有して、上記内部空間内における上記受圧部へと導かれるガスが通じる部位に揺動可能に配されており、上記内部空間内に導入されるガス圧の値が所定値以上となるとき、該ガス圧によって上記弾性部材による付勢力に抗して揺動せしめられ、上記受圧部へと導かれるガスの流路を制御することを特徴とする請求項６記載のガス圧を利用する玩具銃。
【発明の詳細な説明】
【技術分野】
【０００１】
本願の特許請求の範囲に記載された発明は、装弾室に装填された弾丸の発射と装弾室に対する弾丸の供給のためのスライダ部の後退とが、ガス圧の作用によって行われるガス圧を利用する玩具銃に関する。
【背景技術】
【０００２】
空気あるいは空気以外のガスがもたらす圧力であるガス圧を利用する玩具銃（以下、ガス式玩具銃という）にあっては、通常、形状，質感に加えて、見かけ上の動作も実物と同様なものとなるように作成される。このような玩具銃のうち、例えば、グリップ内にガスが充填される蓄圧室が設けられ、トリガーの操作に連動したハンマーの回動により、蓄圧室に連結されたガス通路を閉状態から開状態に移行させ、その開状態とされたガス通路を通じて装弾室に供給されるガスの圧力により、装弾室に装填されている弾丸の発射を行うようにしたもの、さらには、ハンマーの回動により開状態とされたガス通路を通じたガスの圧力が、バレルに沿って配されたスライダの移動にも利用され、そのスライダの移動により、空の状態となった装弾室への次弾の供給が行われるようにされたものが知られている（例えば、特許文献１参照。）。
【０００３】
特許文献１に見られる玩具銃にあっては、グリップ内に設けられた蓄圧室，蓄圧室に連結されたガス通路及びスライダ部に加えて、弾丸発射用ガス通路，弾丸供給用ガス通路，弾丸発射用ガス通路と弾丸供給用ガス通路とを連結する中央空間部、及び、中央空間部から伸びる共通ガス通路が内部に形成された可動部材を備え、トリガを引く操作に連動するハンマの回動に伴って蓄圧室に連結されたガス通路が開状態にされると、蓄圧室からのガスが、開状態とされたガス通路を通じて可動部材内に導かれる。可動部材内に導かれたガスは、その可動部材内に移動可能に配されたガス通路制御部の位置に応じて、弾丸発射用ガス通路及び弾丸供給用ガス通路の一方あるいは双方に流入するものとなる。弾丸発射用ガス通路に流入したガスは、装弾室に装填されている弾丸にガス圧を作用させて、装弾室からの弾丸の発射を行わせ、また、弾丸供給用ガス通路に流入したガスは、スライダ部にガス圧を作用させてスライダ部を後退させる。そして、そのスライダ部の後退に伴って可動部材も後退せしめられる。さらに、このようなスライダ部の後退により蓄圧室に連結されたガス通路が開状態から閉状態に移行して、蓄圧室からのガスの供給が停止されるが、スライダ部はその慣性により最後退位置に到達する。スライダ部は、最後退位置に達するとコイルスプリングの付勢力により前進に転じ、それに伴い可動部材も前進せしめられる。このようにして可動部材が往復動せしめられることにより、弾倉の最上端部に弾丸が押し上げられる状態と、その弾倉の最上端部に押し上げられた弾丸が空の状態となった装弾室に搬送される状態とが得られる。
【特許文献１】特開平７−１０３６９４号公報（第６−１０頁、図３−図１６）
【発明の開示】
【発明が解決しようとする課題】
【０００４】
上述のようなガス圧により装弾室に装填されている弾丸の発射とスライダ部の移動とを行わせるガス式玩具銃にあっては、スライダ部を後退させるガス圧の値が、スライダ部を適正な移動速度をもって最後退位置に到達させるものとされることが要求される。しかしながら、ガス式玩具銃に用いられるガスは、取扱いの容易性，安全性等を重視する観点から、通常、気化した場合に温度による圧力変動が比較的大である低圧液化ガスとされ、それにより、スライダ部の後退動作に気温の変動に伴う不都合がもたらされる虞がある。例えば、気温が比較的高い季節にあっては、スライダ部を後退させるガス圧の値が、スライダ部の最後退位置への到達を極めて高速で行わせ、その結果、スライダ部が最後退位置に到達する際に過大な衝撃が生じることになる程高いものとなり、斯かる衝撃の繰返しによって玩具銃本体の破損等がまねかれる虞がある、また、気温が比較的低い季節にあっては、スライダ部を後退させるガス圧の値が、例えば、スライダ部の最後退位置への到達に支障を生じさせる程低いものとなり、その結果、可動部材が適正な移動を行わないことになってしまう虞がある。
【０００５】
従って、装弾室に装填されている弾丸の発射と、空の状態となった装弾室に対する次弾の供給のためのスライダ部の移動とが、ガス圧が利用されて行われるようにされたガス式玩具銃について、スライダ部の移動に供されるガス圧の値が、例えば、季節によらずスライダ部に正しい動作を行わせるものとなるように調整されることが望まれるが、従前にあっては、そのようにされたガス式玩具銃は見当たらない。
【０００６】
斯かる点に鑑み、本願の特許請求の範囲に記載された発明は、装弾室に装填されている弾丸の発射に加えて、空の状態となった装弾室に対する次弾の供給のためのスライダ部の移動もガス圧が利用されて行われるようにされたもとで、スライダ部の移動に供されるガス圧の値が、例えば、気温の変動があるもとにおいてもスライダ部の移動を適正な速度をもって行わせるべく調整されることになるガス式玩具銃を提供する。
【課題を解決するための手段】
【０００７】
本願の特許請求の範囲における請求項１から請求項７までのいずれかに記載された発明に係るガス式玩具銃は、ガス導出通路が連結されたガス供給部と、ガス導出通路を開閉制御する開閉弁部と、弾丸が装填される装弾室に連なるバレル部に対して移動可能とされ、装弾室の後方となる部分に受圧部が設けられて、装弾室に対する弾丸の供給のための後退を行うスライダ部と、内部空間が設けられてスライダ部内に移動可能に配され、内部空間がガス導出通路に連結される第１の状態と内部空間がガス導出通路から切り離される第２の状態とをとり、第１の状態をとるもとで、開閉弁部がガス導出通路を開状態とするとき、ガス導出通路を通じたガス供給部からのガスを、内部空間を通じて装弾室へと導いて装弾室に装填された弾丸を発射させ、さらに、内部空間を通じて受圧部へと導いてスライダ部の後退を生じさせる可動部材と、可動部材の内部空間内に配され、ガス導出通路を通じて内部空間内に導入されるガス圧に応じて、その内部空間を通じて受圧部へと導かれるガスの流量を調整するガス流量調整手段と、を備えて構成される。
【０００８】
特に、本願の特許請求の範囲における請求項２に記載された発明に係るガス式玩具銃にあっては、ガス流量調整手段が、ガス導出通路を通じて可動部材の内部空間内に導入されるガス圧の値が所定値以上となるとき、その内部空間を通じて受圧部へと導かれるガスの流量を制限するものとされる。
【発明の効果】
【０００９】
上述のような本願の特許請求の範囲における請求項１から請求項７までのいずれかに記載された発明に係るガス式玩具銃にあっては、可動部材の内部空間内に配されたガス流量調整手段により、ガス導出通路を通じて内部空間内に導入されるガス圧に応じて、その内部空間を通じて受圧部へと導かれるガスの流量調整が行われる。斯かるガスの流量調整は、例えば、本願の特許請求の範囲における請求項２に記載された発明に係るガス式玩具銃の場合のように、ガス導出通路を通じて可動部材の内部空間内に導入されるガス圧の値が所定値以上となるとき、その内部空間を通じて受圧部へと導かれるガスの流量を制限するようにして行われる。それにより、可動部材の内部空間を通じて受圧部へと導かれてスライダ部の後退を生じさせるガスが、その圧力に応じた流量調整が、例えば、圧力が高すぎるときには流量が低減されるようにして行われるものとされ、その結果、スライダ部の後退を適正な速度をもって行わせることになる。
【００１０】
可動部材の内部空間内に導入されるガス圧は、例えば、気温の変動に起因する変動を生じ、当該ガス圧の値が所定値以上となる状態も気温に応じてとられる。従って、ガス導出通路を通じて内部空間内に導入されるガス圧に応じて、その内部空間を通じて受圧部へと導かれるガスの流量調整が行われ、それにより、スライダ部の後退が適正な速度をもって行われる、本願の特許請求の範囲における請求項１から請求項７までのいずれかに記載された発明に係るガス式玩具銃にあっては、スライダ部の後退に供されるガス圧の値が、例えば、気温の変動があるもとにおいてもスライダ部の後退を適正な速度をもって行わせるべく調整されることになる。その結果、本願の特許請求の範囲における請求項１から請求項７までのいずれかに記載された発明に係るガス式玩具銃によれば、例えば、気温が比較的高い季節において、スライダ部が最後退位置に到達する際に過大な衝撃が生じることになり、その衝撃の繰返しによって玩具銃本体の破損等がまねかれてしまう虞、あるいは、気温が比較的低い季節において、スライダ部の最後退位置への到達に支障が生じることになってしまう虞を、回避することができる。
【発明を実施するための最良の形態】
【００１１】
本願の特許請求の範囲における請求項１から請求項７までのいずれかに記載された発明は、装弾室に装填されている弾丸の発射と装弾室に対する弾丸の供給とがガス圧が利用されて行われるようにされたもとで、スライダ部に適正な速度をもっての後退を行わせるものとすべく、装弾室に対する弾丸の供給を行うためのスライダ部の後退に供されるガスの流量が当該ガスの圧力に応じて調整されるものとされるガス式玩具銃に係るものであるが、それを実施するための最良の形態は、以下に述べられる実施例をもって説明される。
【実施例１】
【００１２】
図２は、本願の特許請求の範囲における請求項１から請求項５までのいずれかに記載された発明に係るガス式玩具銃の第１の例を示す。
【００１３】
図２に示される例にあっては、トリガー１，アウターバレル２Ａ及びインナーバレル２Ｂを含んだバレル部２，装弾室４，ハンマー５、及び、グリップ部６を有した玩具銃本体１０と、グリップ部６内に着脱可能に収容されたケース９とが備えられており、バレル部２に対し、そのバレル部２に沿う方向に移動し得るものとされたスライダ部８が配されている。説明の便宜上、以下においては、図２に示される例におけるバレル部２のインナーバレル２Ｂが外部に開口する銃口側を前方側とし、図２に示される例におけるハンマー５側を後方側とする。例えば、装弾室４はバレル部２の後端部分に設けられており、スライダ部８はバレル部２に沿って前後方向に移動し得ることになる。
【００１４】
バレル部２の後端部分に設けられた装弾室４は、ゴム材等の弾性摩擦材で成る環状部材４Ａによって形成されており、環状部材４Ａは、インナーバレル２Ｂの後端部分に配されている。それにより、インナーバレル２Ｂを含んだバレル部２は、装弾室４に連なるものとされている。
【００１５】
グリップ部６には、トリガー１から後方に向けて伸びる可動バー１１が配されており、可動バー１１は、バレル部２に沿う方向に移動し得るものとされている。トリガー１は、それが引かれるとき、玩具銃本体１０に設けられた当接部１０Ａより前方となる操作開始位置から後方に向って移動し、それに伴って、可動バー１１も後方に向って移動する。斯かる可動バー１１の後端部には、リーフスプリング１３が当接しており、リーフスプリング１３は、可動バー１１にそれを前方に押圧する付勢力を作用させている。即ち、トリガー１を引く操作は、可動バー１１を通じてトリガー１に伝達されるリーフスプリング１３の付勢力に抗して行われ、トリガー１がそれを引く操作から解放されると、リーフスプリング１３の付勢力により、トリガー１の操作開始位置への復帰が行われる。
【００１６】
スライダ部８は、玩具銃本体１０におけるバレル部２が設けられた部分に嵌合しており、その前方側部分を成す第１の部分８Ａと、第１の部分８Ａと一体的に形成されてバレル部２の後方に位置せしめられた後方側部分を成す第２の部分８Ｂとを有するものとされている。そして、スライダ部８は、トリガー１が操作開始位置にあるもとでは、第１の部分８Ａがその前端部を玩具銃本体１０の前端部に近接させる位置におかれるとともに、第２の部分８Ｂが玩具銃本体１０におけるバレル部２とグリップ部６との間となる部分を含む中間部分を覆うものとなる、図２に示される如くの基準位置におかれる。また、スライダ部８は、その全体がバレル部２に沿う方向の移動を行い得るものとされたもとで、玩具銃本体１０に配されたコイルスプリング１５により、玩具銃本体１０の前方側に向けて付勢されている。
【００１７】
スライダ部８における第２の部分８Ｂには、有底筒状部１６が設けられている。この有底筒状部１６の底部、即ち、スライダ部８の後端部分は、受圧部１６Ａを形成している。
【００１８】
さらに、スライダ部８における第２の部分８Ｂの内側には、可動部材１７が配されている。この可動部材１７は、受圧部１６Ａに対向配置されていて、スライダ部８の移動方向に沿う方向に移動可能とされている。可動部材１７と有底筒状部１６における筒状部１６Ｂとの間には、図示が省略されたコイルスプリングが配されていて、そのコイルスプリングによって、可動部材１７の全体が受圧部１６Ａ側に付勢されている。可動部材１７は、スライダ部８が基準位置にあるもとでは、前方側部分が装弾室４を形成する環状部材４Ａに係合するとともに、後方側部分が有底筒状部１６における筒状部１６Ｂ内に挿入される基準位置におかれる。斯かるもとでは、可動部材１７の後方側部分に装着された環状シール部材１８が、有底筒状部１６における筒状部１６Ｂの内壁面に当接し、それにより、筒状部１６Ｂの内壁面と可動部材１７における後方側部分の外周面との間が密封され、さらに、弾倉３１の最上端部が、可動部材１７により閉塞される。
【００１９】
ハンマー５は、有底筒状部１６が選択的に当接する上方側部分と複数の係合段部が設けられた下方側部分とを有しており、下方側部分が軸２０を介して玩具銃本体１０における後端部に取り付けられていて、軸２０を支軸とした回動が可能とされている。さらに、ハンマー５の下方側部分には、グリップ部６の下方側部分内に配されたハンマースプリング２１にキャップ２２を介して係合する一端部を有したハンマーストラット２３の他端部が、ピン２４を介して取り付けられている。それにより、ハンマー５は、ハンマースプリング２１による付勢力をキャップ２２及びハンマーストラット２３を通じて受けて、図２において矢印ａにより示される如くの、上方側部分をスライダ部８の後端側部に向かわせる方向（ａ方向）に付勢されている。
【００２０】
ハンマー５の下方側部分に近接した位置には、回動レバー２６が軸２７を介して玩具銃本体１０に取り付けられている。ハンマー５は、グリップ部６に対するケース９の装着が行われた初期状態（図２に示される状態）のもとにあっては、上方側部分が有底筒状部１６の底部を成す部分に比較的小なる離隔距離をおいて対向するとともに、下方側部分に回動レバー２６が係合する状態をもって位置規制される。このとき、ハンマー５はデコック状態をとる位置にある。
【００２１】
回動レバー２６は、軸２７を回動中心として回動でき、ハンマー５の下方側部分に選択的に係合する上方先端部が設けられた、全体として湾曲形状を成すものとされていて、その下方部分にリーフスプリング１４が当接している。リーフスプリング１４は、回動レバー２６に、その上方先端部をハンマー５の下方側部分に当接させる方向の付勢力を作用させている。リーフスプリング１４は、その下端部が、リーフスプリング１３の下端部と共に、玩具銃本体１０におけるグリップ部６内となる部分に取り付けられたものとされている。
【００２２】
さらに、回動レバー２６に対して、可動バー１１の後端部が選択的に当接せしめられる可動当接部材２８が配されている。可動当接部材２８における中間部分には、回動レバー２６を貫通する軸２７が挿通せしめられた透孔２８Ａが設けられている。可動当接部材２８は、透孔２８Ａを挿通する軸２７により、それに対する透孔２８Ａにより規制される範囲内での回動が可能とされた状態をもって、支持されている。斯かる可動当接部材２８は、トリガー１が引かれると、それに伴って移動する可動バー１１の後端部が当接せしめられて、リーフスプリング１４の付勢力に抗する方向に回動レバー２６を回動させる移動を行い、それにより、回動レバー２６と相互係合状態におかれて位置規制されたハンマー５を、その位置規制された状態から解放し、また、トリガー１がそれが引かれる操作から解放されて操作開始位置に復帰するとき、それに伴う可動バー１１の移動により可動バー１１の後端部から離隔して、回動レバー２６を、リーフスプリング１４の付勢力に従う方向への回動が可能な状態となすものとされている。
【００２３】
一方、ケース９は、グリップ部６の下方端部に設けられた開口からグリップ部６内に挿入され、その底部がグリップ部６の下方端部に当接係合せしめられて、グリップ部６内における位置決めが行われるものとされる。ケース９には、装填された複数の弾丸ＢＢを上方に付勢するコイルスプリング３０が内蔵された弾倉３１，液化ガスが充填された蓄圧室３２，一端が蓄圧室３２に連結されて伸びる下方ガス通路３３，下方ガス通路３３に対する開閉弁部３４、及び、下方ガス通路３３に連なる上方ガス通路３５が形成されており、下方ガス通路３３及び上方ガス通路３５により、蓄圧室３２に連結されたガス導出通路が形成されている。
【００２４】
下方ガス通路３３に対する開閉弁部３４は、下方ガス通路３３に対して移動可能に配されており、その位置に応じて下方ガス通路３３を開閉制御する。開閉弁部３４には、ロッド部３４Ａが一体的に設けられている。そして、開閉弁部３４は、定常時においては、図２に示される如く、ロッド部３４Ａに巻装されたコイルスプリング３６の付勢力により、下方ガス通路３３を閉状態とする位置をとる。下方ガス通路３３及び上方ガス通路３５は、グリップ部６内に配されるケース９における蓄圧室３２の上方に形成されており、それに伴い、下方ガス通路３３に対する開閉弁部３４は、グリップ部６内に配されるケース９における蓄圧室３２の上方に配されていることになる。
【００２５】
ケース９がグリップ部６内に装着された玩具銃本体１０においては、開閉弁部３４の後方側となる部分に可動ピン３９が位置せしめられる。可動ピン３９には、コイルスプリング４０が巻装されている。可動ピン３９は、定常時においては、図２に示される如くの、コイルスプリング４０の付勢力により、開閉弁部３４に設けられたロッド部３４Ａの後端部から若干離隔した基準位置をとる。可動ピン３９が基準位置をとるとともに、ハンマー５がデコック状態とされる位置をとるもとでは、可動ピン３９の後端部とハンマー５の上方側部分との相互間距離は極めて小とされる。斯かる可動ピン３９は、それに巻装されたコイルスプリング４０の付勢力に抗して基準位置から移動せしめられると、ロッド部３４Ａの後端部に当接して、開閉弁部３４をコイルスプリング３６の付勢力に抗する方向に移動させ、開閉弁部３４に、下方ガス通路３３を開状態となす位置をとらせるものとされている。
【００２６】
斯かるハンマー５，回動レバー２６，開閉弁部３４，下方ガス通路３３と上方ガス通路３５とが形成するガス導出通路及び可動ピン３９を含む部分により、トリガー１を引く操作に応じて、蓄圧室３２からのガスを可動部材１７内に供給するガス供給機構が構成されている。
【００２７】
可動部材１７には、図１に明瞭に示される如く、第１のガス通路４１，第２のガス通路４２、及び、それら第１及び第２のガス通路４１及び４２を連結する連結ガス通路４３を形成するものとされる内部空間が設けられている。このような可動部材１７の内部空間にあっては、第１のガス通路４１が、連結ガス通路４３から装弾室４に向けて伸びるとともに、第２のガス通路４２が、連結ガス通路４３から受圧部１６Ａに向けて伸びるものとされている。そして、連結ガス通路４３は、可動部材１７が基準位置をとるもとではガス導出通路を形成する上方ガス通路３５に連通せしめられる部分４３Ａと、その部分４３Ａから第２のガス通路４２に向けて伸びる部分４３Ｂとを有している。
【００２８】
このような連結ガス通路４３における部分４３Ａが設けられていることにより、可動部材１７は、それに設けられた内部空間がガス導出通路に連結される状態とそれに設けられた内部空間がガス導出通路から切り離される状態とをとるものとされる。また、連結ガス通路４３における部分４３Ｂ内には、ガス流制限部材４４が移動可能に配されている。
【００２９】
ガス流制限部材４４は、底部に中央孔が設けられるとともに側部に比較的小なる透孔４７が設けられた有孔カップ状部４５と、有孔カップ状部４５から第２のガス通路４２側に伸びる円筒状部４６とを有している。円筒状部４６は、その内部に、有孔カップ状部４５の底部に設けられた中央孔から伸びて第２のガス通路４２内に入り込む第３のガス通路４８を形成している。さらに、円筒状部４６には、ガス流制限部材４４の全体を受圧部１６Ａから離隔させる方向に付勢するコイルスプリング４９が巻装されている。
【００３０】
ガス流制限部材４４は、図１及び図２に示されるような、第３のガス通路４８の後端部分を第２のガス通路４２に入り込ませる基準位置と、可動部材１７に設けられた環状当接部１７Ａに有孔カップ状部４５を当接させる位置と、の間の範囲内においての移動が可能とされている。そして、ガス流制限部材４４は、定常時においては、コイルスプリング４９の付勢力により基準位置をとる。
【００３１】
可動部材１７の内部には、固定部材５０が、可動部材１７と一体的に設けられたものとして配されている。固定部材５０は、円錐状部分を有しており、例えば、円錐状部分の先端部をガス流制限部材４４における円筒状部４６内に形成される第３のガス通路４８内に入り込ませた状態で、ガス流制限部材４４に対向するものとされている。この固定部材５０における円錐状部分の周囲が、第３のガス通路４８及び第２のガス通路４２を通じて受圧部１６Ａに導かれるガスの流路となり、この固定部材５０における円錐状部分の周囲に形成されるガス流路は、その開口面積が、ガス流制限部材４４における円筒状部４６の端部（第３のガス通路４８の開口部）によって制限されることになる。
【００３２】
ガス流制限部材４４が図１及び図２に示されるような基準位置をとるもとでは、固定部材５０が、それにおける円錐状部分の先端部がガス流制限部材４４における円筒状部４６内に形成される第３のガス通路４８内に僅かに入り込んでいる状態にある。このとき、固定部材５０における円錐状部分の周囲に形成されるガス流路は、比較的大なる開口面積を有したものとなる。ガス流制限部材４４が、基準位置から、コイルスプリング４９の付勢力に抗して、受圧部１６Ａに向かって移動するときには、固定部材５０が、それにおける円錐状部分がガス流制限部材４４における円筒状部４６内に形成される第３のガス通路４８内に次第に深く入り込む状態におかれる。それにより、固定部材５０における円錐状部分の周囲に形成されるガス流路は、その開口面積が、ガス流制限部材４４における円筒状部４６の端部（第３のガス通路４８の開口部）による制限が次第に大となって、低減されていくものとなる。
【００３３】
固定部材５０における円錐状部分の周囲に形成されるガス流路の開口面積が制限される程、第３のガス通路４８及び第２のガス通路４２を通じて受圧部１６Ａに導かれるガスの流量は制限されて少とされることになる。従って、ガス流制限部材４４と固定部材５０とは、第３のガス通路４８及び第２のガス通路４２を通じて受圧部１６Ａに導かれるガスの流量を制限するガス流量調整手段を構成しているのである。
【００３４】
さらに、可動部材１７内に設けられた内部空間には、第１のガス通路４１と連結ガス通路４３とに亙るガス通路制御部５１も移動可能に配されている。ガス通路制御部５１は、連結ガス通路４３内に配された弁部５１Ａと、弁部５１Ａから第３のガス通路４８に向って伸びるロッド部５１Ｂと、弁部５１Ａから第１のガス通路４１に入り込んで装弾室４に向って伸びる整流部５１Ｃとを備えて形成されている。そして、ガス通路制御部５１は、ロッド部５１Ｂに巻装され、一端がガス流制限部材４４における有孔カップ状部４５の底部に当接したコイルスプリング５２によって、装弾室４に向かう方向に付勢されている。
【００３５】
ガス通路制御部５１における弁部５１Ａは、可動部材１７における第１のガス通路４１を形成する部分の連結ガス通路４３に対する開口部１７Ｂ、及び、有孔カップ状部４５における連結ガス通路４３内における開口部４５Ａの夫々を閉塞することが可能とされる寸法を有している。ガス通路制御部５１における弁部５１Ａが開口部１７Ｂを閉塞するとき、第１のガス通路４１が閉状態とされる。従って、ガス通路制御部５１は、第１のガス通路４１を開閉制御することになる。
【００３６】
ガス流制限部材４４の有孔カップ状部４５に設けられた透孔４７は、ガス通路制御部５１における弁部５１Ａが開口部４５Ａを閉塞するもとにあっても、第３のガス通路４８を、ガス流制限部材４４の有孔カップ状部４５を介して連結ガス通路４３に通じさせている。従って、ガス通路制御部５１における弁部５１Ａが開口部４５Ａを閉塞するときにも、第３のガス通路４８は閉状態とはいえない状態におかれる。
【００３７】
上述のような図１及び図２に示される例にあっては、例えば、ケース９がグリップ部６内に装着されて位置決めされた後、未だ装弾室４に弾丸ＢＢが装填されていないもとで、基準位置におかれたスライダ部８が、手動操作により、可動部材１７を伴って一旦基準位置から後退せしめられた後、その手動操作から解放され、コイルスプリング１５の付勢力により、可動部材１７と共に前進せしめられて、再び基準位置に戻される初期操作が行われる。
【００３８】
斯かる際、スライダ部８の基準位置からの後退に伴って、弾倉３１の最上端部を閉塞していた可動部材１７が基準位置から後退せしめられることによって、弾倉３１の最上端部が開状態にされる。それにより、コイルスプリング３０の付勢力により、弾倉３１内に充填された弾丸ＢＢのうち最上方位置にあったものが最上端部に押し上げられ、最上端部において保持される。
【００３９】
また、図２に示されるデコック状態を維持するハンマー５が、後退するスライダ部８によって押圧され、それにより、回動レバー２６との相互係合が解除されて、デコック状態を維持する位置から、ハンマースプリング２１の付勢力に抗して、ａ方向とは逆の方向（ｂ方向）に回動する。それに伴い、回動レバー２６が、リーフスプリング１４の付勢力に従う方向に回動する。そして、ｂ方向に回動するハンマー５は、図３に示されるように、その上方側部分と基準位置をとる可動ピン３９における後端部との相互間距離が比較的大とされる、コック状態をとる位置に到達する。そして、斯かるハンマー５の下方側部分に回動レバー２６の上方先端部が係合して、ハンマー５と回動レバー２６とが相互位置規制状態とされ、ハンマー５がコック状態をとる位置に維持される。
【００４０】
そして、一旦後退したスライダ部８が後退位置から基準位置へと向かう前進に転じると、それに伴って可動部材１７も前進し、前進する可動部材１７が、その前端部を弾倉３１の最上端部内に挿入して、そこに保持された弾丸ＢＢを装弾室４へと搬送する。それとともに、可動部材１７は、再び弾倉３１の最上端部を閉塞し、その前方側部分を環状部材４Ａに係合させるものとされて位置固定がなされる基準位置に復帰する。その結果、図１及び図２に示されるように、装弾室４に弾丸ＢＢが装填され、装弾室４に装填された弾丸ＢＢにガス通路制御部５１における整流部５１Ｃの前端部が当接した状態がとられる。
【００４１】
このようにスライダ部８がその前進により基準位置に復帰し、そのスライダ部８の前進に伴い、可動部材１７が前進して基準位置に復帰したもとでは、下方ガス通路３３が開閉弁部３４によって閉状態とされたもとで、再び、可動部材１７内の連結ガス通路４３の部分４３Ａが上方ガス通路３５に連通せしめられる。さらに、可動部材１７内のガス通路制御部５１が、その整流部５１Ｃの前端部が当接する、装弾室４に装填された弾丸ＢＢによりコイルスプリング５２の付勢力に抗して後方に押圧され、図１に示される如く、弁部５１Ａが、開口部１７Ｂから離隔して第１のガス通路４１を開状態となすとともに、開口部４５Ａを閉塞することになる後方位置をとる。
【００４２】
このようにして図１及び図２に示される如くに装弾室４に弾丸ＢＢが装填されたもとで、操作開始位置をとるトリガー１が引かれると、それに伴う可動バー１１の移動により、可動当接部材２８が回動レバー２６をリーフスプリング１４の付勢力に抗する方向に回動させる。その結果、コック状態をとるハンマー５が、回動レバー２６により位置規制された状態から解放され、ハンマースプリング２１の付勢力によりａ方向の回動を行い、図４に示されるように、上方側部分を有底筒状部１６に近接させる状態をもって可動ピン３９を殴打する。それにより、可動ピン３９がコイルスプリング４０の付勢力に抗して基準位置から移動し、開閉弁部３４を、下方ガス通路３３を閉状態となす位置から開状態となす位置へと移動させる。また、下方ガス通路３３を開状態となす位置への開閉弁部３４の移動により、開閉弁部３４のロッド部３４Ａの下方に配されたロック部材５５が、コイルスプリング５６による付勢力を受けて上方に移動して、ロッド部３４Ａの後方部分に係合し、開閉弁部３４を下方ガス通路３３に開状態をとらせる位置に規制する。
【００４３】
下方ガス通路３３が開状態にされると、蓄圧室３２からのガスが、開状態とされた下方ガス通路３３と上方ガス通路３５とが形成するガス導出通路を通じて、可動部材１７に設けられた内部空間に供給される。そして、可動部材１７に設けられた内部空間内において、連結ガス通路４３及びガス通路制御部５１における弁部５１Ａにより開状態とされた第１のガス通路４１を通じて、装弾室４へと導かれる。第１のガス通路４１を通じるガスは、ガス通路制御部５１における整流部５１Ｃによって整流される。
【００４４】
装弾室４へと導かれるガスは、装弾室４に装填された弾丸ＢＢにガス圧を作用させ、弾丸ＢＢを装弾室４からバレル部２内へと移動させて、弾丸ＢＢの装弾室４からの発射を生じさせる。
【００４５】
斯かる際、ガス流制限部材４４における有孔カップ状部４５の側部に設けられている比較的小なる透孔４７を通じて、有孔カップ状部４５内にも蓄圧室３２からのガスが供給される。有孔カップ状部４５内に供給されたガスは、ガス通路制御部５１における弁部５１Ａに、前方側への若干の押圧力を作用させる。
【００４６】
また、このとき、ガス通路制御部５１における弁部５１Ａの前方側外表面は、可動部材１７内において連結ガス通路４３を通じて第１のガス通路４１に流入するガスのガス圧によって後方に向けて押圧される。それにより、弾丸ＢＢの装弾室４からの発射が生じて、ガス通路制御部５１における整流部５１Ｃの前端部に弾丸ＢＢが当接しなくなっても、ガス通路制御部５１が、例えば、コイルスプリング５２の付勢力に従って、直ちに後方位置から前進する状態とはならない。
【００４７】
そして、可動部材１７内の第１のガス通路４１及び連結ガス通路４３におけるガス圧は、装弾室４から発射されてバレル部２内を前進し、バレル部２の先端部から外部に飛び出す弾丸ＢＢの一連の移動に起因して低下せしめられる。その結果、後方位置をとるガス通路制御部５１の弁部５１Ａの前方側外表面に作用するガス圧が低下し、ガス通路制御部５１が、コイルスプリング５２の付勢力及び有孔カップ状部４５内に供給されたガスのガス圧により前進する。前進するガス通路制御部５１は、図５に示される如く、基準位置をとるガス流制限部材４４における有孔カップ状部４５から離隔した弁部５１Ａにより、可動部材１７における開口部１７Ｂを閉塞して第１のガス通路４１を閉状態とする前方位置をとるものとされる。
【００４８】
このようにしてガス通路制御部５１が前方位置をとることにより、蓄圧室３２からのガスが、開状態とされた下方ガス通路３３と上方ガス通路３５とが形成するガス導出通路を通じ、さらに、可動部材１７内の連結ガス通路４３を通じて、ガス流制限部材４４における円筒状部４６内に形成された第３のガス通路４８に供給される。このとき、ガス流制限部材４４にあっては、その有孔カップ状部４５に直接的に作用するガスにより、コイルスプリング４９の付勢力に抗するガス圧が加えられる。
【００４９】
斯かるガス流制限部材４４に加えられるコイルスプリング４９の付勢力に抗するガス圧は、図１及び図２に示される例についての気温に応じて、その値を変化させる。例えば、気温が２０℃未満である場合には、ガス流制限部材４４に加えられるコイルスプリング４９の付勢力に抗するガス圧の値が所定値未満となり、また、気温が２０℃以上である場合には、ガス流制限部材４４に加えられるコイルスプリング４９の付勢力に抗するガス圧の値が所定値以上となり、気温が高い程ガス流制限部材４４に加えられるコイルスプリング４９の付勢力に抗するガス圧の値が大となる。
【００５０】
そして、ガス流制限部材４４に加えられるコイルスプリング４９の付勢力に抗するガス圧の値が所定値未満であるもとでは、コイルスプリング４９が、ガス流制限部材４４に図５に示される基準位置を維持させる伸長状態をとる。それにより、可動部材１７内に配された固定部材５０が、それにおける円錐状部分の先端部がガス流制限部材４４における円筒状部４６内に形成される第３のガス通路４８内に僅かに入り込む状態とされ、固定部材５０における円錐状部分の周囲に形成されるガス流路は、比較的大なる開口面積を有したものとなる。その結果、第３のガス通路４８から、固定部材５０における円錐状部分の周囲に形成されるガス流路を含んだ第２のガス通路４２を通じて、受圧部１６Ａに達するガスの流量が比較的大とされる。
【００５１】
一方、ガス流制限部材４４に加えられるコイルスプリング４９の付勢力に抗するガス圧の値が所定値以上となり、その値が気温が高い程大となるもとにあっては、コイルスプリング４９は、ガス流制限部材４４に加えられるガス圧の値が大とされる程、圧縮度合いが大とされ、それに伴って、ガス流制限部材４４の基準位置から受圧部１６Ａに向かう方向への移動量を大とさせる。それにより、ガス流制限部材４４に加えられるガス圧の値が大とされる程、固定部材５０が、図６に示されるように、それにおける円錐状部分がガス流制限部材４４における円筒状部４６内に形成される第３のガス通路４８内に次第に深く入り込む状態におかれ、固定部材５０における円錐状部分の周囲に形成されるガス流路が、その開口面積が低減されていくものとなる。その結果、ガス流制限部材４４に加えられるガス圧の値が大とされる程、第３のガス通路４８から、固定部材５０における円錐状部分の周囲に形成されるガス流路を含んだ第２のガス通路４２を通じて、受圧部１６Ａに達するガスの流量が低減されていく。
【００５２】
ガス流制限部材４４が図５に示される基準位置におかれ、第３のガス通路４８から、固定部材５０における円錐状部分の周囲に形成されるガス流路を含んだ第２のガス通路４２を通じて、受圧部１６Ａに達するガスの流量が比較的大とされるときには、その流量が比較的大とされた、ガス圧の値を所定値未満とするガスによって、受圧部１６Ａに作用するガス圧が急激に増大せしめられる。その結果、図７に示されるように、増大したガス圧によって受圧部１６Ａが、有底筒状部１６内において可動部材１７における後方側部分の端面部との間に形成される可変容積圧力室５９を増大させつつ急速に後方に移動せしめられ、それに伴って、基準位置をとるスライダ部８がコイルスプリング１５の付勢力に抗して急速に後退する。
【００５３】
また、ガス流制限部材４４が基準位置から移動せしめられて図６に示される位置におかれ、ガス流制限部材４４に加えられるガス圧の値が大とされる程、第３のガス通路４８から、固定部材５０における円錐状部分の周囲に形成されるガス流路を含んだ第２のガス通路４２を通じて、受圧部１６Ａに達するガスの流量が低減されていくときには、その流量が低減された、ガス圧の値を所定値以上とするガスによって、受圧部１６Ａに作用するガス圧が急激に増大せしめられる。その結果、図８に示されるように、増大したガス圧によって受圧部１６Ａが、有底筒状部１６内において可動部材１７における後方側部分の端面部との間に形成される可変容積圧力室５９を増大させつつ急速に後方に移動せしめられ、それに伴って、基準位置をとるスライダ部８がコイルスプリング１５の付勢力に抗して急速に後退する。
【００５４】
このように、ガス流制限部材４４に作用するガス圧の値が所定値未満とされるもとにおいては、その比較的低い値とされるガス圧をガス流制限部材４４に作用させるガスが、比較的大とされる流量をもって、固定部材５０における円錐状部分の周囲に形成されるガス流路を含んだ第２のガス通路４２を通じて受圧部１６Ａに到達し、受圧部１６Ａに充分なガス圧を作用させる。それにより、受圧部１６Ａに作用するガス圧によるスライダ部８の後退が、図９に示されるように、可変容積圧力室５９を迅速かつ確実に拡大させる、適正な速度をもって行われる。
【００５５】
一方、ガス流制限部材４４に作用するガス圧の値が所定値以上とされるもとにおいては、その比較的高い値とされるガス圧をガス流制限部材４４に作用させるガスが、十分に低減された流量をもって、固定部材５０における円錐状部分の周囲に形成されるガス流路を含んだ第２のガス通路４２を通じて受圧部１６Ａに到達し、受圧部１６Ａに充分なガス圧を作用させる。それにより、受圧部１６Ａに作用するガス圧によるスライダ部８の後退が、過度に速い速度をもって行われることなく、図１０に示されるように、可変容積圧力室５９を迅速かつ確実に拡大させる、適正な速度をもって行われる。
【００５６】
このようなスライダ部８の基準位置からの後退は、上方側部分を有底筒状部１６に当接させたハンマー５に、ハンマースプリング２１の付勢力に抗するｂ方向への回動を行わせる。そして、ハンマー５のｂ方向への回動により、可動ピン３９がハンマー５に押圧された状態から解放され、コイルスプリング４０の付勢力により、図３に示されるように、基準位置に復帰する。さらに、可動ピン３９が基準位置に復帰した直後に、開閉弁部３４を位置規制するロック部材５５が、図示が省略された押圧部によりコイルスプリング５６の付勢力に抗して押し下げられて、開閉弁部３４におけるロッド部３４Ａの後方部分との相互係合が解除される。それにより、開閉弁部３４がコイルスプリング３６の付勢力により移動して、図３に示されるように、下方ガス通路３３を閉状態とする位置に復帰する。
【００５７】
下方ガス通路３３が閉状態とされることにより、蓄圧室３２からのガスの第２のガス通路４２への供給が停止されるが、適正な速度をもって後退するスライダ部８は、その直後においては慣性によりさらに後退し、過度な衝撃を伴うことなく確実に、図１１に示されるような最後退位置に到達する。
【００５８】
スライダ部８が最後退位置に到達するにあたっては、図１２及び図１３図に示されるように、ガス流制限部材４４が基準位置をとる場合、及び、ガス流制限部材４４が基準位置から受圧部１６Ａ側に移動した位置をとる場合のいずれにおいても、可動部材１７は、その後方側部分が有底筒状部１６における筒状部１６Ｂの外部にあり、可動部材１７と筒状部１６Ｂとの間に空隙６０が形成される。それにより、筒状部１６Ｂの開口部側が開放状態とされるので、可変容積圧力室５９におけるガス圧が急激に大気圧に向けて低減される。その結果、可動部材１７が、図示が省略されたコイルスプリングの付勢力により、急速に有底筒状部１６に向けて後退せしめられ、図１１に示される如くに、可動部材１７の後方側部分が、再度、有底筒状部１６における筒状部１６Ｂ内に挿入せしめられた状態とされる。斯かるもとでは、ガス流制限部材４４は、コイルスプリング４９の付勢力に従った位置、即ち、基準位置をとるものとされる。
【００５９】
そして、このような可動部材１７の後退により、可動部材１７の中間部分により閉塞されていた弾倉３１の最上端部が開状態にされることにより、弾倉３１内に充填された弾丸ＢＢのうち最上方位置にあったものが最上端部に押し上げられて保持される。
【００６０】
最後退位置に達したスライダ部８は、コイルスプリング１５の付勢力を受けて、後退した可動部材１７と共に前進し、基準位置に戻る。スライダ部８が最後退位置から基準位置に戻るとき、スライダ部８と共に基準位置に戻る可動部材１７が、弾倉３１の最上端部に保持された弾丸ＢＢを装弾室４に搬送して装填する。また、前方位置をとるガス通路制御部５１は、それにおける整流部５１Ｃの前端部が当接する装弾室４に装填された弾丸ＢＢにより、コイルスプリング５２の付勢力に抗して移動せしめられ、図１に示される如くの後方位置をとる。
【００６１】
このようにして、ガス圧により後退して最後退位置に達するスライダ部８により押圧されたハンマー５が、コック状態をとる位置までｂ方向に回動するものとされるとともに、スライダ部８及び可動部材１７が基準位置に復帰した直後にトリガー１も操作開始位置に復帰せしめられて、それに伴う可動バー１１，回動レバー２６等の作動により、コック状態をとるハンマー５が位置規制され、その結果、図３に示されるような状態がとられて、次弾の発射が準備される。
【００６２】
上述のようにして、図１及び図２に示される例にあっては、ガス流制限部材４４に作用するガス圧が、例えば、２０℃未満とされる気温の影響により所定値未満とされるとき、及び、２０℃以上とされる気温の影響により所定値以上とされるとき、例えば、気温が３５℃を越える状況となって極めて高い圧力値を示すものとされるときのいずれにおいても、スライダ部８が適正に作動し、それに伴い可動部材１７による装弾室４への次弾の供給が適正に行われる。従って、図１及び図２に示される例は、それが適正に作動する気温範囲が拡大されたものとされることになる。
【００６３】
なお、上述の図１及び図２に示される例において、ガス流制限部材４４と共にガス流量調整手段を構成すべく可動部材１７内に配された固定部材５０は、ガス流制限部材４４における円筒状部４６内に形成される第３のガス通路４８内に入り込む円錐状部分を有したものとされているが、斯かる固定部材５０の部分の形状は円錐状に限られるものではなく、ガス流制限部材４４における円筒状部４６内に形成される第３のガス通路４８内に入り込む度合いが大となる程、固定部材５０の周囲に形成されるガス流路の開口面積を小とするものであればよい。
【実施例２】
【００６４】
図１４は、本願の特許請求の範囲における請求項１から請求項５までのいずれかに記載された発明に係るガス式玩具銃の第２の例を示す。
【００６５】
図１４に示される例は、図１及び図２に示される例において、ガス流制限部材４４と共にガス流量調整手段を形成する固定部材５０に代えて、固定部材７０が配されたものに相当し、図１４における図１及び図２に示される各部，各部材と同様のものとされる各部，各部材は、図１及び図２と共通の符号が付されて示され、それらについての重複説明は省略される。
【００６６】
図１４に示される例にあっては、固定部材７０が、可動部材１７の内部におけるガス流制限部材４４の後方となる位置において、可動部材１７と一体的に設けられたものとされている。そして、固定部材７０は、全体として立設された壁をなす平板状とされていて、ガス流制限部材４４における円筒状部４６の端部（第３のガス通路４８の開口部）に対向するものとされている。この固定部材７０の上方に、第３のガス通路４８及び第２のガス通路４２を通じて受圧部１６Ａに導かれるガスの流路が形成されることになり、この固定部材７０の上方に形成される流路を流れるガスの流量が、ガス流制限部材４４における円筒状部４６の端部と固定部材７０とによって制限される。
【００６７】
ガス流制限部材４４における円筒状部４６の端部と固定部材７０とによるガスの流量の制限は、可動部材１７内において移動可能とされたガス流制限部材４４が後方側、即ち、受圧部１６Ａ側に移動し、ガス流制限部材４４における円筒状部４６の端部が固定部材７０に極く近接もしくは当接するとき、円筒状部４６の端部、即ち、第３のガス通路４８の開口部が、部分的に固定部材７０によって塞がれることによって行われる。従って、ガス流制限部材４４と固定部材７０とは、第３のガス通路４８及び第２のガス通路４２を通じて受圧部１６Ａに導かれるガスの流量を制限するガス流量調整手段を構成しているのである。
【００６８】
このようなガス流制限部材４４と固定部材７０とにより構成されるガス流量調整手段  を備えた図１４に示される例においても、図１及び図２に示される例の場合と同様にして初期操作が行われる。
【００６９】
斯かる初期操作により図１４に示されるように装弾室４に弾丸ＢＢが装填されたもとで、操作開始位置をとるトリガー１が引かれると、図１及び図２に示される例の場合と同様にして、ハンマー５を含むガス供給機構が作動する。それにより、開状態とされた下方ガス通路３３と上方ガス通路３５とを通じた蓄圧室３２からのガスが、連結ガス通路４３を通じて第１のガス通路４１に供給され、その第１のガス通路４１に供給されたガスが、装弾室４に装填された弾丸ＢＢに及ぼすガス圧により、弾丸ＢＢの装弾室４からバレル部２内へ移動することになる、弾丸ＢＢの装弾室４からの発射が行われる。
【００７０】
そして、装弾室４から発射されてバレル部２内を前進し、バレル部２の先端部から外部に飛び出す弾丸ＢＢの一連の移動に起因する第１のガス通路４１及び連結ガス通路４３におけるガス圧の低下により、後方位置をとるガス通路制御部５１が、コイルスプリング５２の付勢力により前進し、図１５に示される如く、基準位置をとるガス流制限部材４４における有孔カップ状部４５から離隔した弁部５１Ａにより、可動部材１７に設けられた開口部１７Ｂを閉塞して第１のガス通路４１を閉状態とする前方位置をとる。
【００７１】
ガス通路制御部５１が前方位置をとることにより、開状態とされた下方ガス通路３３と上方ガス通路３５とが形成するガス導出通路を通じた蓄圧室３２からのガスが、可動部材１７内において連結ガス通路４３を通じて第３のガス通路４８に供給される。このとき、可動部材１７内における連結ガス通路４３に配されたガス流制限部材４４における有孔カップ状部４５には、コイルスプリング４９の付勢力に抗する方向のガス圧が加えられる。
【００７２】
斯かるガス流制限部材４４に加えられるコイルスプリング４９の付勢力に抗するガス圧は、図１４に示される例についての気温に応じて、その値を変化させる。例えば、気温が３５℃未満である場合には、ガス流制限部材４４に加えられるコイルスプリング４９の付勢力に抗するガス圧の値が所定値未満となり、また、気温が３５℃以上である場合には、ガス流制限部材４４に加えられるコイルスプリング４９の付勢力に抗するガス圧の値が所定値以上となる。
【００７３】
そして、ガス流制限部材４４に加えられるコイルスプリング４９の付勢力に抗するガス圧の値が所定値未満であるもとでは、コイルスプリング４９が、ガス流制限部材４４に図１４に示される基準位置を維持させる伸長状態をとる。それにより、図１５に示されるように、ガス流制限部材４４における円筒状部４６の端部と固定部材７０との間の間隔が比較的大とされ、円筒状部４６の端部、即ち、第３のガス通路４８の開口部が固定部材７０によって塞がれない状態とされる。その結果、第３のガス通路４８から、固定部材７０の上方に形成されるガス流路を含んだ第２のガス通路４２を通じて、受圧部１６Ａに達するガスの流量が比較的大とされる。
【００７４】
一方、ガス流制限部材４４に加えられるコイルスプリング４９の付勢力に抗するガス圧の値が所定値以上となるもとにあっては、コイルスプリング４９は、ガス流制限部材４４を基準位置から受圧部１６Ａに向かう方向に移動させ、図１６に示されるように、ガス流制限部材４４における円筒状部４６の端部が固定部材７０に極く近接するあるいは当接する状態とされる。それにより、円筒状部４６の端部、即ち、第３のガス通路４８の開口部が固定部材７０によって部分的に塞がれる状態とされる。その結果、第３のガス通路４８から、固定部材７０の上方に形成されるガス流路を含んだ第２のガス通路４２を通じて、受圧部１６Ａに達するガスの流量が比較的少とされる。
【００７５】
ガス流制限部材４４に加えられるガス圧の値が所定値未満であってガス流制限部材４４が図１５に示される基準位置におかれ、第３のガス通路４８から固定部材７０の上方に形成されるガス流路を含んだ第２のガス通路４２を通じて、受圧部１６Ａに達するガスの流量が比較的大とされるときには、その流量が比較的大とされた、ガス圧の値を所定値未満とするガスによって、受圧部１６Ａに作用するガス圧が急激に増大せしめられる。その結果、図１５において一点鎖線により示されるように、増大したガス圧によって受圧部１６Ａが、有底筒状部１６内において可動部材１７における後方側部分の端面部との間に形成される可変容積圧力室５９を増大させつつ急速に後方に移動せしめられ、それに伴って、基準位置をとるスライダ部８が、図２に示されるコイルスプリング１５に相当するコイルスプリングの付勢力に抗して急速に後退する。
【００７６】
また、ガス流制限部材４４に加えられるガス圧の値が所定値以上であってガス流制限部材４４が基準位置から移動せしめられて図１６に示される位置におかれ、第３のガス通路４８から固定部材５０の上方に形成されるガス流路を含んだ第２のガス通路４２を通じて、受圧部１６Ａに達するガスの流量が比較的少とされるときには、その流量が比較的少とされた、ガス圧の値を所定値以上とするガスによって、受圧部１６Ａに作用するガス圧が急激に増大せしめられる。その結果、図１６において一点鎖線により示されるように、増大したガス圧によって受圧部１６Ａが、有底筒状部１６内において可動部材１７における後方側部分の端面部との間に形成される可変容積圧力室５９を増大させつつ急速に後方に移動せしめられ、それに伴って、基準位置をとるスライダ部８が、図２に示されるコイルスプリング１５に相当するコイルスプリングの付勢力に抗して急速に後退する。
【００７７】
このように、ガス流制限部材４４に作用するガス圧の値が所定値未満とされるもとにおいては、その比較的低い値とされるガス圧をガス流制限部材４４に作用させるガスが、比較的大とされる流量をもって、固定部材７０の上方に形成されるガス流路を含んだ第２のガス通路４２を通じて受圧部１６Ａに到達し、受圧部１６Ａに充分なガス圧を作用させる。それにより、受圧部１６Ａに作用するガス圧によるスライダ部８の後退が、図１５において一点鎖線により示されるように、可変容積圧力室５９を迅速かつ確実に拡大させる、適正な速度をもって行われる。
【００７８】
一方、ガス流制限部材４４に作用するガス圧の値が所定値以上とされるもとにおいては、その比較的高い値とされるガス圧をガス流制限部材４４に作用させるガスが、比較的少とされる流量をもって、固定部材７０の上方に形成されるガス流路を含んだ第２のガス通路４２を通じて受圧部１６Ａに到達し、受圧部１６Ａに充分なガス圧を作用させる。それにより、受圧部１６Ａに作用するガス圧によるスライダ部８の後退が、過度に速い速度をもって行われることなく、図１６において一点鎖線により示されるように、可変容積圧力室５９を迅速かつ確実に拡大させる、適正な速度をもって行われる。
【００７９】
その結果、図１４に示される例にあっても、図１及び図２に示される例の場合と同様にして、スライダ部８のその慣性による最後退位置への到達が、過度な衝撃を伴うことなく確実に行われる。
【００８０】
このようなスライダ部８の基準位置から最後退位置への後退、及び、最後退位置に到達したスライダ部８の基準位置への前進、さらには、斯かるスライダ部８の移動に伴う可動部材１７の移動及びハンマー５を含むガス供給機構等の作動は、図１及び図２に示される例と同様である。
【００８１】
そして、図１４に示される例においては、可動部材１７内においてガス流制限部材４４における有孔カップ状部４５に作用するガス圧が、例えば、３５℃を越える気温の影響により、比較的大とされるときにあっても、スライダ部８が適正に作動し、それに伴い可動部材１７による装弾室４への次弾の供給が適正に行われる。従って、図１４に示されるガス式玩具銃も、それが適正に作動する温度範囲が拡大されたものとされることになる。
【００８２】
なお、平板状とされた固定部材７０は、その形状及び大きさについては、ガス流制限部材４４における円筒状部４６の端部が極く近接するあるいは当接するとき、円筒状部４６の端部、即ち、第３のガス通路４８の開口部を部分的に塞がぐことができるものとされればよい。
【実施例３】
【００８３】
図１７は、本願の特許請求の範囲における請求項１，請求項２，請求項６及び請求項７のいずれかに記載された発明に係るガス式玩具銃の一例を示す。
【００８４】
図１７に示される例は、可動部材１７に、図１及び図２に示される例における環状当接部１７Ａに代えて、透孔７５が形成された有孔カップ状部１７Ｃが設けられ、また、図１及び図２に示される例においてガス流制限部材４４と固定部材５０とによって構成されているガス流量調整手段に代えて、可動ガス流路制御部７６を含んだガス流量調整手段が備えられたものに相当し、図１７における図１及び図２に示される各部，各部材と同様のものとされる各部，各部材は、図１及び図２と共通の符号が付されて示され、それらについての重複説明は省略される。
【００８５】
図１７に示される例にあっては、可動部材１７の内部空間において、ガス通路制御部５１を前方に向けて付勢するコイルスプリング５２が、可動部材１７に設けられた有孔カップ状部１７Ｃ内に配され、装弾室４に弾丸ＢＢが装填されていて、ガス通路制御部５１が後方位置をとるきには、ガス通路制御部５１における弁部５１Ａが、有孔カップ状部１７Ｃの開口部７７を閉塞することになる。
【００８６】
また、可動ガス流路制御部７６は、可動部材１７の内部における、連結ガス通路４３と第２のガス通路４２との間に形成された連結空間７８に配され、その一端部が軸７９を介して可動部材１７に揺動可能に取り付けられており、軸７９によって支持されたトグルスプリング８０によって、図１７において時計回りに回動する方向に付勢されている。そして、可動ガス流路制御部７６は、図１７に示されるような、第２のガス通路４２の連結空間７８側の開口端部から離隔した位置を基準位置とする。斯かる可動ガス流路制御部７６は、全体として平板状とされていて、その下方に、連結ガス通路４３，連結空間７８及び第２のガス通路４２を通じて受圧部１６Ａに導かれるガスの流路が形成されることになり、可動ガス流路制御部７６は、この流路を制御する。それにより、可動ガス流路制御部７６の下方に形成される流路を流れるガスの流量が、可動ガス流路制御部７６によって制限される。
【００８７】
可動ガス流路制御部７６によるガスの流量の制限は、可動ガス流路制御部７６が図１７に示される基準位置からトグルスプリング８０の付勢力に抗して第２のガス通路４２に向かって揺動するとき、第２のガス通路４２の連結空間７８側の開口端部を部分的に塞ぐことによって行われる。従って、可動ガス流路制御部７６は、連結ガス通路４３，連結空間７８及び第２のガス通路４２を通じて受圧部１６Ａに導かれるガスの流量を制限するガス流量調整手段を構成しているのである。
【００８８】
このような可動ガス流路制御部７６を含んで構成されるガス流量調整手段を備えた図１７に示される例においても、図１及び図２に示される例の場合と同様にして初期操作が行われる。
【００８９】
斯かる初期操作により図１７に示されるように装弾室４に弾丸ＢＢが装填されたもとで、操作開始位置をとるトリガー１が引かれると、図１及び図２に示される例の場合と同様にして、ハンマー５を含むガス供給機構が作動する。それにより、開状態とされた下方ガス通路３３と上方ガス通路３５とを通じた蓄圧室３２からのガスが、連結ガス通路４３を通じて第１のガス通路４１に供給され、その第１のガス通路４１に供給されたガスが、装弾室４に装填された弾丸ＢＢに及ぼすガス圧により、弾丸ＢＢの装弾室４からバレル部２内へ移動することになる、弾丸ＢＢの装弾室４からの発射が行われる。
【００９０】
そして、装弾室４から発射されてバレル部２内を前進し、バレル部２の先端部から外部に飛び出す弾丸ＢＢの一連の移動に起因する第１のガス通路４１及び連結ガス通路４３におけるガス圧の低下により、後方位置をとるガス通路制御部５１が、コイルスプリング５２の付勢力により前進し、図１８に示される如く、可動部材１７に設けられた有孔カップ状部１７Ｃから離隔した弁部５１Ａにより、可動部材１７に設けられた開口部１７Ｂを閉塞して第１のガス通路４１を閉状態とする前方位置をとる。
【００９１】
ガス通路制御部５１が前方位置をとることにより、開状態とされた下方ガス通路３３と上方ガス通路３５とが形成するガス導出通路を通じた蓄圧室３２からのガスが、可動部材１７内において連結ガス通路４３を通じて連結空間７８に供給される。このとき、連結空間７８内に配された可動ガス流路制御部７６には、トグルスプリング８０の付勢力に抗する方向のガス圧が加えられる。
【００９２】
斯かる可動ガス流路制御部７６に加えられるトグルスプリング８０の付勢力に抗するガス圧は、図１７に示される例についての気温に応じて、その値を変化させる。例えば、気温が３５℃未満である場合には、可動ガス流路制御部７６に加えられるトグルスプリング８０の付勢力に抗するガス圧の値が所定値未満となり、また、気温が３５℃以上である場合には、可動ガス流路制御部７６に加えられるトグルスプリング８０の付勢力に抗するガス圧の値が所定値以上となる。
【００９３】
そして、可動ガス流路制御部７６に加えられるトグルスプリング８０の付勢力に抗するガス圧の値が所定値未満であるもとでは、トグルスプリング８０が、可動ガス流路制御部７６に図１７に示される基準位置を維持させる。それにより、図１８に示されるように、可動ガス流路制御部７６が第２のガス通路４２の連結空間７８側の開口端部から離隔した位置をとり、第２のガス通路４２の連結空間７８側の開口端部が可動ガス流路制御部７６によって塞がれない状態とされる。その結果、連結ガス通路４３，連結空間７８及び第２のガス通路４２を通じて、受圧部１６Ａに達するガスの流量が比較的大とされる。
【００９４】
一方、可動ガス流路制御部７６に加えられるトグルスプリング８０の付勢力に抗するガス圧の値が所定値以上であるもとでは、可動ガス流路制御部７６が図１７に示される基準位置からトグルスプリング８０の付勢力に抗して第２のガス通路４２に向かって揺動する。それにより、図１９に示されるように、可動ガス流路制御部７６が第２のガス通路４２の連結空間７８側の開口端部に至る位置をとり、第２のガス通路４２の連結空間７８側の開口端部が可動ガス流路制御部７６によって部分的に塞がれる状態とされる。その結果、連結ガス通路４３，連結空間７８及び第２のガス通路４２を通じて、受圧部１６Ａに達するガスの流量が比較的少とされる。
【００９５】
可動ガス流路制御部７６に加えられるガス圧の値が所定値未満であって可動ガス流路制御部７６が図１７に示される基準位置におかれ、連結ガス通路４３，連結空間７８及び第２のガス通路４２を通じて、受圧部１６Ａに達するガスの流量が比較的大とされるときには、その流量が比較的大とされた、ガス圧の値を所定値未満とするガスによって、受圧部１６Ａに作用するガス圧が急激に増大せしめられる。その結果、図１８において一点鎖線により示されるように、増大したガス圧によって受圧部１６Ａが、有底筒状部１６内において可動部材１７における後方側部分の端面部との間に形成される可変容積圧力室５９を増大させつつ急速に後方に移動せしめられ、それに伴って、基準位置をとるスライダ部８が、図２に示されるコイルスプリング１５に相当するコイルスプリングの付勢力に抗して急速に後退する。
【００９６】
また、可動ガス流路制御部７６に加えられるガス圧の値が所定値以上であって可動ガス流路制御部７６が基準位置から移動せしめられて図１９に示される位置におかれ、連結ガス通路４３，連結空間７８及び第２のガス通路４２を通じて、受圧部１６Ａに達するガスの流量が比較的少とされるときには、その流量が比較的少とされた、ガス圧の値を所定値以上とするガスによって、受圧部１６Ａに作用するガス圧が急激に増大せしめられる。その結果、図１９において一点鎖線により示されるように、増大したガス圧によって受圧部１６Ａが、有底筒状部１６内において可動部材１７における後方側部分の端面部との間に形成される可変容積圧力室５９を増大させつつ急速に後方に移動せしめられ、それに伴って、基準位置をとるスライダ部８が、図２に示されるコイルスプリング１５に相当するコイルスプリングの付勢力に抗して急速に後退する。
【００９７】
このように、可動ガス流路制御部７６に作用するガス圧の値が所定値未満とされるもとにおいては、その比較的低い値とされるガス圧を可動ガス流路制御部７６に作用させるガスが、比較的大とされる流量をもって、可動ガス流路制御部７６の下方に形成されるガス流路及び第２のガス通路４２を通じて受圧部１６Ａに到達し、受圧部１６Ａに充分なガス圧を作用させる。それにより、受圧部１６Ａに作用するガス圧によるスライダ部８の後退が、図１８において一点鎖線により示されるように、可変容積圧力室５９を迅速かつ確実に拡大させる、適正な速度をもって行われる。
【００９８】
一方、可動ガス流路制御部７６に作用するガス圧の値が所定値以上とされるもとにおいては、その比較的高い値とされるガス圧を可動ガス流路制御部７６に作用させるガスが、比較的少とされる流量をもって、可動ガス流路制御部７６の下方に形成されるガス流路及び第２のガス通路４２を通じて受圧部１６Ａに到達し、受圧部１６Ａに充分なガス圧を作用させる。それにより、受圧部１６Ａに作用するガス圧によるスライダ部８の後退が、過度に速い速度をもって行われることなく、図１９において一点鎖線により示されるように、可変容積圧力室５９を迅速かつ確実に拡大させる、適正な速度をもって行われる。
【００９９】
その結果、図１７に示される例にあっても、図１及び図２に示される例の場合と同様にして、スライダ部８のその慣性による最後退位置への到達が、過度な衝撃を伴うことなく確実に行われる。
【０１００】
このようなスライダ部８の基準位置から最後退位置への後退、及び、最後退位置に到達したスライダ部８の基準位置への前進、さらには、斯かるスライダ部８の移動に伴う可動部材１７の移動及びハンマー５を含むガス供給機構等の作動は、図１及び図２に示される例と同様である。
【０１０１】
そして、図１７に示される例においては、可動部材１７内においてガス流路制御部７６に作用するガス圧が、例えば、３５℃を越える気温の影響により、比較的大とされるときにあっても、スライダ部８が適正に作動し、それに伴い可動部材１７による装弾室４への次弾の供給が適正に行われる。従って、図１７に示されるガス式玩具銃も、それが適正に作動する気温範囲が拡大されたものとされることになる。
【０１０２】
なお、可動ガス流路制御部７６は、その形状及び大きさについては、第２のガス通路４２の連結空間７８側の開口端部に至る位置をとるとき、第２のガス通路４２の連結空間７８側の開口端部を部分的に塞ぐことができるものとされればよい。
【産業上の利用可能性】
【０１０３】
上述のような本願の特許請求の範囲における請求項１から請求項７までのいずれかに記載された発明に係るガス式玩具銃は、従前のものに比して拡大された気温範囲のもとで適正に作動させることができる玩具銃として、実用に供され得るものである。
【図面の簡単な説明】
【０１０４】
【図１】本願の特許請求の範囲における請求項１から請求項５までのいずれかに記載された発明に係るガス式玩具銃の第１の例についての構成及び動作説明に供される部分断面図である。
【図２】本願の特許請求の範囲における請求項１から請求項５までのいずれかに記載された発明に係るガス式玩具銃の第１の例を示す断面図である。
【図３】図２に示される例の構成及び動作説明に供される部分断面図である。
【図４】図２に示される例の構成及び動作説明に供される部分断面図である。
【図５】図２に示される例の構成及び動作説明に供される部分断面図である。
【図６】図２に示される例の構成及び動作説明に供される部分断面図である。
【図７】図２に示される例の構成及び動作説明に供される部分断面図である。
【図８】図２に示される例の構成及び動作説明に供される部分断面図である。
【図９】図２に示される例の構成及び動作説明に供される部分断面図である。
【図１０】図２に示される例の構成及び動作説明に供される部分断面図である。
【図１１】図２に示される例の構成及び動作説明に供される部分断面図である。
【図１２】図２に示される例の構成及び動作説明に供される部分断面図である。
【図１３】図２に示される例の構成及び動作説明に供される部分断面図である。
【図１４】本願の特許請求の範囲における請求項１から請求項５までのいずれかに記載された発明に係るガス式玩具銃の第２の例を示す断面図である。
【図１５】図１４に示される例の構成及び動作説明に供される部分断面図である。
【図１６】図１４に示される例の構成及び動作説明に供される部分断面図である。
【図１７】本願の特許請求の範囲における請求項１、請求項２、請求項６及び請求項７のいずれかに記載された発明に係るガス式玩具銃の一例を示す断面図である。
【図１８】図１７に示される例の構成及び動作説明に供される部分断面図である。
【図１９】図１７に示される例の構成及び動作説明に供される部分断面図である。
【符号の説明】
【０１０５】
１・・・トリガー，  ２・・・バレル部，  ４・・・装弾室，  ５・・・ハンマー，  ８・・・スライダ部，  １０・・・玩具銃本体，  １６・・・有底筒状部，  １６Ａ・・・受圧部，  １７・・・可動部材，  ２６・・・回動レバー，  ３３・・・下方ガス通路，  ３４・・・開閉弁部，  ３５・・・上方ガス通路，  ３９・・・可動ピン，  ４１・・・第１のガス通路，  ４２・・・第２のガス通路，  ４３・・・連結ガス通路，  ４４・・・ガス流制限部材，  ４８・・・第３のガス通路，  ４９・・・コイルスプリング，  ５０，７０・・・固定部材，  ５１・・・ガス通路制御部，  ５９・・・可変容積圧力室，  ７６・・・可動ガス流路制御部，  ７８・・・連結空間，  ８０・・・トグルスプリング
【図１】
0003708936.tif 000002
【図２】
0003708936.tif 000003
【図３】
0003708936.tif 000004
【図４】
0003708936.tif 000005
【図５】
0003708936.tif 000006
【図６】
0003708936.tif 000007
【図７】
0003708936.tif 000008
【図８】
0003708936.tif 000009
【図９】
0003708936.tif 000010
【図１０】
0003708936.tif 000011
【図１１】
0003708936.tif 000012
【図１２】
0003708936.tif 000013
【図１３】
0003708936.tif 000014
【図１４】
0003708936.tif 000015
【図１５】
0003708936.tif 000016
【図１６】
0003708936.tif 000017
【図１７】
0003708936.tif 000018
【図１８】
0003708936.tif 000019
【図１９】
0003708936.tif 000020